(57)【要約】【課題】遊技球の不足により遊技客が不利益を蒙るといった事態を回避するようにした弾球弾球遊技機を提供する。【解決手段】上皿７と、遊技球連通路１６と、緩やかな緩傾斜部３８ａを有し遊技球Ｂを供給口３８ａｂから球払出装置３９へ供給する球誘導通路３８と、緩傾斜部３８ａから分岐される発射球専用通路４３と、補給口５６を介して遊技球Ｂを補給する補給樋３７とからなり、遊技球連通路１６の遊技球Ｂを排出する度に発射球専用通路４３からの遊技球を１個ずつ遊技盤５面に打ち込む弾球遊技機Ｐであって、前記緩傾斜部３８ａの底面に供給口３８ｂより上流側でありかつ補給口５６の真下位置から下流側に位置して球導口４２を開設し、球導口４２は上部が遊技球Ｂを受け入れ易いように拡開され、球払出装置３９より発射位置３２へ遊技球Ｂを優先的に供給できるようにした。【選択図】図８
2005185357.tif 000002
【特許請求の範囲】
【請求項１】
遊技球を投入する上皿と、前記上皿の遊技球を誘導して投入球排出装置により弾球遊技機の外部へ排出する遊技球連通路と、緩やかに下傾する緩傾斜部を有し遊技球を流下端の供給口から球払出装置へ供給する球誘導通路と、前記球誘導通路の緩傾斜部から分岐され該緩傾斜部の遊技球を発射位置に供給する発射球専用通路と、島台から前記球誘導通路へ補給口を介して遊技球を補給する補給樋とからなり、前記遊技球連通路の遊技球を１個ずつ排出する度に前記球誘導通路から前記発射球専用通路を経て発射位置に供給される遊技球を１個ずつ前記遊技盤面に打ち込むようにした弾球遊技機であって、
前記球誘導通路における緩傾斜部の底面に前記供給口より上流側でありかつ前記補給口の真下位置から下流側に位置して球導口を開設し、前記球導口は上部が遊技球を受け入れ易いように拡開され、前記発射球専用通路内に遊技球が充満してないときは流下する遊技球を受け入れるようにして前記球払出装置より前記発射位置へ遊技球を優先的に供給できるようにしたことを特徴とする弾球遊技機。
【発明の詳細な説明】
【技術分野】
【０００１】
本発明は、上皿に投入された遊技球を弾球遊技機の外部へ１個ずつ排出する度に島台から発射球専用通路を経て発射位置へ供給される遊技球を１個ずつ遊技盤面に打ち込むようにした弾球遊技機に関するものである。
【背景技術】
【０００２】
先に、本出願人は、この種の弾球遊技機として、遊技球を投入する上皿と、上皿の遊技球を誘導して投入球排出装置により弾球遊技機の外部へ排出する遊技球連通路と、緩やかに下傾する緩傾斜部を有し遊技球を流下端の供給口から球払出装置へ供給する球誘導通路と、球誘導通路の緩傾斜部から分岐され該緩傾斜部の遊技球を発射位置に供給する発射球専用通路と、島台から球誘導通路へ補給口を介して遊技球を補給する補給樋とからなり、遊技球連通路の遊技球を１個ずつ排出する度に球誘導通路から発射球専用通路を経て発射位置に供給される遊技球を１個ずつ遊技盤面に打ち込むようにしたパチンコ機を発明し、特許出願した（特許文献１参照。）。
【特許文献１】特願２００３−４２００９０号公報（第４−８頁、図２）
【発明の開示】
【発明が解決しようとする課題】
【０００３】
例えば、仮に同一島台における複数のパチンコ機にほぼ同時的に遊技者にとって有利な特別遊技状態すなわち「大当り」が発生すると、これらパチンコ機に多量の賞球が必要となり、球払出装置や発射位置に供給すべき遊技球が間に合わない事態が生ずるおそれがある。ところが、前記特許文献１のパチンコ機では、遊技球を発射位置に供給する発射球専用通路上端の球導口がそのまま単に球誘導通路の緩傾斜部における底面に設けられているに過ぎず、しかもその球導口はほぼ発射球専用通路の通路幅すなわち遊技球１個分しかない。このため、前記のような状態では球誘導通路を流下する遊技球が少なくなると、前記球導口が狭いことから発射球専用通路へ誘導される遊技球は更に少なくなり、発射位置への遊技球の供給が間に合わなくなって折角の大当り状態が途中で終了してしまい遊技客が不利益を蒙ることになる。更には、これにより遊技客とパチンコホールとの間でトラブルを生ずるといった改良すべき点が残る。
【０００４】
そこで、本発明は上記改良点に鑑みてなされたもので、常に球払出装置より発射位置へ遊技球を優先的に供給できるようにして、遊技球の不足により遊技客が不利益を蒙るといった事態を回避するようにした弾球遊技機を提供することを目的とするものである。
【課題を解決するための手段】
【０００５】
かかる目的を達成するため本発明の弾球遊技機は、遊技球を投入する上皿と、上皿の遊技球を誘導して投入球排出装置により弾球遊技機の外部へ排出する遊技球連通路と、緩やかに下傾する緩傾斜部を有し遊技球を流下端の供給口から球払出装置へ供給する球誘導通路と、球誘導通路の緩傾斜部から分岐され該緩傾斜部の遊技球を発射位置に供給する発射球専用通路と、島台から球誘導通路へ補給口を介して遊技球を補給する補給樋とからなり、遊技球連通路の遊技球を１個ずつ排出する度に球誘導通路から発射球専用通路を経て発射位置に供給される遊技球を１個ずつ遊技盤面に打ち込むようにした弾球遊技機であって、球誘導通路における緩傾斜部の底面に供給口より上流側でありかつ補給口の真下位置から下流側に位置して球導口を開設し、球導口は上部が遊技球を受け入れ易いように拡開され、発射球専用通路内に遊技球が充満してないときは流下する遊技球を受け入れるようにして球払出装置より発射位置へ遊技球を優先的に供給できるようにした構成からなる。
【発明の効果】
【０００６】
本発明は、球誘導通路における緩傾斜部の底面に供給口より上流側でありかつ補給樋の補給口の真下位置から下流側に位置して球導口を開設し、球導口は上部が遊技球を受け入れ易いように拡開され、発射球専用通路内に遊技球が充満してないときは流下する遊技球を受け入れるようにして球払出装置より発射位置へ遊技球を優先的に供給できるようにしたので、遊技球の不足により遊技客が不利益を蒙るといった事態を回避できるばかりか、遊技客とパチンコホールとの間のトラブルも生じないという有益な効果がある。
【発明を実施するための最良の形態】
【０００７】
以下、本発明に係る弾球遊技機の実施の形態を図面と共に説明する。なお、パチンコ機、アレンジボール機、雀球遊技機等の弾球遊技機のうち、本発明はその一例であるパチンコ機について説明する。図１は本発明が適用されるパチンコ機の正面図、図２は同正面から見た透視図である。
【０００８】
パチンコ機Ｐは、縦長方形枠状に成形される外枠１の前面に額縁状の前枠２が開閉自在に装着され、更にその前面上下部に透明板保持枠３と前面板４とが同じく開閉自在に装着されている。前記前枠２に遊技盤５が配設され、その前面の遊技部５ａが透明板保持枠３に開設され透明板により覆われる窓開口６に臨むようになっている。また、前記前面板４の前面には遊技客が遊技するため遊技球であるパチンコ球を投入する上皿７が装着され、その下方に上皿７から溢れるパチンコ球を貯留する下皿８が一体に設けられている。９は前面板４の前面一側に突設される操作ハンドルである。
【０００９】
前記遊技盤５の前面には外側ガイドレール１０ａと内側ガイドレール１０ｂとが渦巻状に敷設され、これら内・外側ガイドレール１０ａ，１０ｂで囲われる遊技部５ａに種々の盤面部品が装着されている。例えば、遊技盤５の中央に表示部１１ａを有する可変表示装置１１が配置される。また、該可変表示装置１１の下方にはパチンコ球が入賞することにより、可変表示装置１１の表示部１１ａに表示される数字、記号等の情報を変動表示させる始動入賞口１２が設けられる。更に、その下方に前記変動した表示が一定の時間経過後に停止して特定の表示（例えば「７７７」）を示し、遊技者にとって有利な特別遊技状態になったとき、一定の条件の下で開閉扉１３ａを所定回数開成させ一度に多くの入賞球が得られるようにした入賞装置１３が配設されている。また、可変表示装置１１の両側には一般入賞口１４が装着される。前記遊技部５ａの下端部に内側ガイドレール１０ｂの内側に沿ってアウト球をパチンコ機Ｐの外部に排出するアウト球口１５が開設されている。
【００１０】
前記上皿７は、図２に示すように内底面が一方へ下斜しており、その流下端に上皿７と連通する遊技球連通路１６が配設される。更に、該遊技球連通路１６の下流側にこの遊技球連通路１６に整列するパチンコ球であってその最先のパチンコ球を１個ずつ区切って排出する投入球排出装置１７が配置されている。この投入球排出装置１７は、前面板４の裏面であって遊技球連通路１６の屈曲部の外側に配置され、図５（イ）に示すように前面板４の裏面にほぼ中央部を支軸１８により回動自在に軸支される球切り部材１９と、その下方に位置して同じく前面板４の裏面に下端部を支軸２０により回動自在に軸支される球受部材２１と、前記球切り部材１９を作動させる排出ソレノイド２２とからなる。更に、遊技球連通路１６の所定位置に投入球検知スイッチ２３が設けられると共にその下流側の近接位置に排出球確認スイッチ２４が設けられる。
【００１１】
また、前記支軸１８には略への字状の連結部材２５が軸支される。該連結部材２５一側の透孔２６に前記球受部材２１の側面から突出するピン２７が嵌合され、他側は前記排出ソレノイド２２から下方へ伸びるプランジャ２２ａの下端に軸支される。前記球切り部材１９は、回動してその先端爪部１９ａが遊技球連通路１６の屈曲部の外側に開設された差込口２８を介して遊技球連通路１６内に介入できるようになっており、基端部１９ｂが前記プランジャ２２ａの下端に軸支されている。また、球受部材２１は逆Ｌ字状に成形され、回動してその先端爪部２１ａが前記差込口２８を介して遊技球連通路１６内に介入できるようになっている。そして、両先端爪部１９ａ，２１ａ間の遊技球連通路１６に前記投入球検知スイッチ２３が配置される。
【００１２】
そして、図５（イ）に示すように排出ソレノイド２２が消磁しているときは、そのプランジャ２２ａが下方へ突出し、球切り部材１９が後側へ回動してその先端爪部１９ａが差込口２８から退く位置にある。同時に、球受部材２１が前側へ回動してその先端爪部２１ａが差込口２８から遊技球連通路１６内に介入した位置にある。このとき、遊技球連通路１６に整列するパチンコ球の内、最先のパチンコ球Ｂ１が球受部材２１の先端爪部２１ａの上面で支持され止められると共に投入球検知スイッチ２３により検出される。
【００１３】
一方、図５（ロ）に示すようにこの状態で排出ソレノイド２２が励磁すると、プランジャ２２ａが上方へ収縮し、球切り部材１９が前側へ回動してその先端爪部１９ａが差込口２８から遊技球連通路１６内に入り、前記最先のパチンコ球Ｂ１と次のパチンコ球Ｂ２との間に介入して次のパチンコ球Ｂ２を止める。同時に、球受部材２１が後側へ回動してその先端爪部２１ａが差込口２８から退き、支持を失った前記最先のパチンコ球Ｂ１を下方へ流下させる。この最先のパチンコ球Ｂ１はその後排出球確認スイッチ２４で検出されつつパチンコ機Ｐの外部のアウト球タンク（図示せず。）へ排出される。
【００１４】
また、再度排出ソレノイド２２が消磁すると、そのプランジャ２２ａが下方へ突出して球切り部材１９が後側へ回動し、図５（イ）に示すように球切り部材１９の先端爪部１９ａが差込口２８から退き、同時に球受部材２１の先端爪部２１ａが差込口２８から遊技球連通路１６内に入る。これにより、前記次のパチンコ球Ｂ２が球受部材２１の先端爪部２１ａの上面に支持され、同時に投入球検知スイッチ２３により検出される。以後、排出ソレノイド２２の励・消磁ごとに前記と同様な動作が繰り返される。そして、投入球検知スイッチ２３により検出されたパチンコ球が排出球確認スイッチ２４で検出される。このように、投入球検知スイッチ２３で検出された後のパチンコ球を排出球確認スイッチ２４で再び検出することにより、後記するように打球発射装置３１が作動して発射球専用通路４３から発射位置３２に供給されるパチンコ球を遊技盤５面に打ち込むようなっている。
【００１５】
前面板４により覆われる前枠２の前面には、打球発射レール２９が取り付けられる。この打球発射レール２９の先端部は、前記外側ガイドレール１０ａの下端部とファール球戻し口３０を介して連なっており、打球発射レール２９の基端部側には打球発射装置３１が装着される。打球発射装置３１は、回動自在に軸支され打球発射レール２９の発射位置３２に位置するパチンコ球を打球する打球槌３３と、この打球槌３３の軸３３ａに連結される発射ソレノイドであるロータリソレノイド３４とからなる。そして、ロータリソレノイド３４の作動により打球槌３３を往復運動させてパチンコ球が１個ずつ発射できるようになっている。前記ファール球戻し口３０の下方にはファール球排出樋３５が設けられ、ファール球はその途中に設けられたファール球スイッチ３６により検出されると共に下端開口からパチンコ機Ｐ外部のアウト球タンクへ排出される。
【００１６】
前記前枠２の裏側には、図３に示すようにその上部に補給樋としての球タンク３７が配設され、その下方に球誘導通路としてのタンクレール３８が配設される。このタンクレール３８は、緩やかに一側へ下傾する緩傾斜部３８ａを有し、その流下端に供給口３８ｂを介して球払出装置３９が連接されると共にその下方に賞球誘導樋４０が配設され、球払出装置３９から払い出された所定数のパチンコ球は、賞球誘導樋４０を流下して下端部の球出口４１を介して前記上皿７に貯留される。図示は省略するが、球払出装置３９内には、払出駆動モータにより回転して所定数のパチンコ球を払い出す回転体、払い出されるパチンコ球数を検出する払出球検出スイッチが配置される。また、球払出装置３９は貸球用として利用することもできる。
【００１７】
一方、前記タンクレール３８の上流端部の底面に球導口４２が開設され、図４に示すようにこの球導口４２に前記賞球誘導樋４０とは別通路として発射球専用通路４３が配設される。この発射球専用通路４３は、図示は省略するが球圧を軽減させるため前後に蛇行して成形されることが好ましい。そして、その流下端が前記打球発射レール２９の発射位置３２に臨んでおり、前枠２の裏面に取り付けられる球送り装置４４により発射球専用通路樋４３内のパチンコ球を１個ずつ前記発射位置３２に供給するようになっている。また、発射球専用通路樋４３の途中に該発射球専用通路樋４３内にパチンコ球が所定数あることを確認する発射球確認スイッチ５５が設けられる。前記タンクレール３８は、その上端を球タンク３７に接続せずに、直接島台の樋に接続しそこからパチンコ球を得るようにしても良い。
【００１８】
前記球送り装置４４は、図６、図７（イ）に示すように発射球専用通路４３の下端開口４５の真下に位置しかつ打球発射レール２９の発射位置３２に対向して位置する球送り部材４６と、該球送り部材４６を作動させるフラッパー型のソレノイド４７とから概略構成される。球送り部材４６は打球発射レール２９の側方であって平面的に見て打球発射レール２９と平行な支持軸４８により軸支され、打球発射レール２９に平面的に見て直交する面内で回動し得るようになっている。球送り部材４６における発射位置３２と対向する側に、回動して前記下端開口４５からのパチンコ球を受け入れる凹窪部４９が設けられ、一側には係合ピン５０が突設されている。
【００１９】
前記ソレノイド４７は球送り部材４６に近接して配置されており、下端一側に金属性の可動板５１が回動自在に軸支されている。そして、可動板５１は、常には一側のスプリング５２により下方へ回動付勢されており、その先端部に前記球送り部材４６の一側に突出される係合ピン５０と連結される連結片５３が連係されている。そして、ソレノイド４７が消磁しているときは、可動板５１がスプリング５２の付勢により下方へ回動して係合ピン５０を下げ、図７（イ）に示すように発射球専用通路４３の最先のパチンコ球Ｂ３を球送り部材４６の上面で受け止めている。
【００２０】
そして、前記ソレノイド４７が所定の時間の間だけ励磁すると、可動板５１がスプリング５２の付勢に抗して上方へ回動し、これに伴い図７（ロ）に示すように係合ピン５０が引き上げられる。これにより、球送り部材４６が上向き回動して凹窪部４９に最先のパチンコ球Ｂ３を受け入れ、ソレノイド４７の消磁に伴い球送り部材４６が反転して凹窪部４９のパチンコ球Ｂ３を発射位置３２へ排出する。また、前記ソレノイド４７が再び励磁すると、前記のように球送り部材４６が回動して発射球専用通路４３の次のパチンコ球Ｂ４を受け入れて発射位置３２へ排出する。このようにして、発射球専用通路４３内のパチンコ球が１個ずつ発射位置３２へ供給されることになる。
【００２１】
前記アウト球口１５から排出されるアウト球は、アウト球通路５４を介してパチンコ機Ｐの外部のアウト球タンクへ排出される。また、図示は省略するが、遊技終了後に上皿７に残った残り球を回収するには、例えば遊技球連通路１６における球受部材２１の先端爪部１９ａの上面一側に切替弁を設け、該切替弁を開放することにより前記残り球を下皿８に流出させるようにすれば良い。
【００２２】
本発明にあっては、前記タンクレール３８の緩傾斜部３８ａの底面に供給口３８ｂより上流側でありかつ球タンク３７の補給口補給口５６の真下位置から下流側に位置して球導口４２が開設され、しかも球導口４２は上部が遊技球を受け入れ易いように拡開されて成形されている。
【００２３】
そこで、球タンク３７内の遊技球が少なくなると、図８（イ）に示すように島台から遊技球Ｂが補給される。この遊技球Ｂは、補給口５６からタンクレール３８の緩傾斜部３８ａに落下して流下するが、先に球導口４２に落ち発射球専用通路４３内を充満させる。そして、発射球専用通路４３内が遊技球Ｂで充満されてから、図８（ロ）に示すようにその下流へ残りの遊技球Ｂが流れ緩傾斜部３８ａに充満する。最終的には、図８（ハ）に示すように発射球専用通路４３と緩傾斜部３８ａとが共に遊技球Ｂで満たされる。
【００２４】
よって、遊技者にとって有利な特別遊技状態であるいわゆる「大当り」状態になって、島台から球タンク３７を介して補給される遊技球が少なくなっても、前記発射球専用通路４３内に遊技球が充満してないときは流下する遊技球を受け入れ球払出装置３９より発射位置３２へ遊技球を優先的に供給できる。これにより、遊技球の不足により遊技客が不利益を蒙るといった事態を回避するようにしている。
【００２５】
ここで、本発明に係るパチンコ機Ｐのブロック図を図９に示す。図中、６０は遊技制御基板、６１は本体制御基板、６２は図柄制御基板、６３はランプ制御基板、６４は音声制御基板であり、各制御基板はいずれもＣＰＵ、ＲＯＭ、ＲＡＭ、Ｉ／Ｏからなる。
遊技制御基板６０に遊技盤５面に装着される始動入賞口１２のスイッチ、同始動入賞口１２のソレノイド、入賞装置１３のスイッチ、同開閉扉１３ａを所定数開成させる継続スイッチ、同開閉扉１３ａを作動させるソレノイド及び一般入賞口１４のスイッチが接続される。また、本体制御基板６１には、球払出装置３９の払出駆動モータ、同払出球検出スイッチ、球送り装置４４のソレノイド４７、打球発射装置３１の発射ソレノイド３４、発射球確認スイッチ５５、ファール球スイッチ３６、排出ソレノイド２２、投入球検知スイッチ２３及び排出球確認スイッチ２４がそれぞれ接続され、これらが制御されるようになっている。
【００２６】
次に、図１０のフローチャートを使ってその制御動作を説明する。遊技者が遊技していないときは、投入球排出装置１７の排出ソレノイド２２、球送り装置４４のソレノイド４７や打球発射装置３１の発射ソレノイド３４などは消磁している。そこで、遊技者が上皿７に複数のパチンコ球を投入すると、これらパチンコ球は整列して遊技球連通路１６を流下し、その最先のパチンコ球Ｂ１が球受部材２１の先端爪部２１ａの上面に載り支持されると共に投入球検知スイッチ２３により検出される。そして、この状態で遊技者が操作ハンドル９を握って回動させると、ステップＳ１で発射球専用通路４３の発射球確認スイッチ５５がＯＮ状態になっているか判別され、ＯＮ状態（すなわち、パチンコ球が十分にある状態である。）であればステップＳ２に進み、ＯＦＦ状態であればＯＮ状態になるまで判別を行なう。
【００２７】
ステップＳ２では、投入球検知スイッチ２３がＯＮ状態になっているか判別され、ＯＮ状態であればステップＳ３に進み、ＯＦＦ状態であればＯＮ状態になるまで判別を行なう。ステップＳ３では、投入球排出装置１７の排出ソレノイド２２がＯＮされ、球切り部材１９の先端爪部１９ａが遊技球連通路１６内に介入して次のパチンコ球Ｂ２を受け止め、最先のパチンコ球Ｂ１を排出させる。同時にステップＳ４では、投入球検知スイッチ２３がＯＦＦ状態になればステップＳ５，Ｓ６に進み、球送り装置４４が作動して発射球専用通路４３の最先のパチンコ球Ｂ３が打球発射レール２９の発射位置３２に供給されると共にロータリーソレノイド３４が作動して打球槌３３により前記パチンコ球Ｂ３を打球して発射させる。発射されたパチンコ球Ｂ３は、外側ガイドレール１０ａに沿って飛走し遊技盤５面の遊技部５ａに打ち込まれる。
【００２８】
そして、ステップＳ７で排出球確認スイッチ２４がＯＮ状態となれば、ステップＳ８に進み１球の発射球がプラスカウントされる。一方、排出球確認スイッチ２４がＯＦＦ状態であればステップＳ１２に進む。前記外側ガイドレール１０ａに沿って飛走し遊技盤５面に向かったパチンコ球Ｂ３がその勢いが弱いため途中で逆戻りし、ファール球戻し口３０を介してファール球排出樋３５に入った場合は、ステップＳ９でファール球検出スイッチ３６がＯＮ状態となりステップＳ１０に進む。遊技者にはファール球１球分損失させたことになるので、球払出装置３９からパチンコ球１個が上皿７に払い出され、ステップＳ１０ではその分マイナスカウントされる。ステップＳ９でファール球スイッチ３６がＯＦＦ状態であれば、ステップＳ１１に進み発射球情報が出力されてからステップＳ１に戻る。
【００２９】
前記ステップＳ１２では、排出球確認スイッチ２４が検出されないことから投入球エラー情報として記憶されステップＳ１３に進む。ステップ１３ではエラー情報が所定値、たとえば投入球であって排出されたパチンコ球として検出された個数に対して打球すなわち発射され遊技盤５面に打ち込まれたパチンコ球の個数が食い違っている場合は、ステップＳ１４に進み打球発射装置３１のロータリーソレノイド３４が停止される。そして、ステップＳ１５ではエラー表示がなされ、リセット待ちとなる。また、ステップ１３でエラー情報が所定値つまり食い違いがなければステップＳ７に戻る。
【００３０】
このように、投入球検知スイッチ２３で検出された後（投入球検知スイッチ２３がＯＦＦ状態）のパチンコ球を排出球確認スイッチ２４で再び検出（排出球確認スイッチ２４がＯＮ状態）するようにし、これにより打球発射装置３１が作動してパチンコ球を遊技盤５面に打ち込み遊技ができるようにしている。よって、例えばピアノ線などの金属線を上皿７から遊技球連通路１６内に差し込み、投入球検知スイッチ２３を通過させ排出球確認スイッチ２４にまで達しこれをＯＮさせたとしても、前記投入球検知スイッチ２３がＯＮ状態のままになって検出されないことから、エラー情報として処理されてしまいパチンコ球が発射されなくなる。これにより、前記のような不正行為が防止される。
【００３１】
実際には回収された投入球と遊技盤５面に打ち込まれ入賞しなかったアウト球とがあり、これらを従来と同様に島台の回収装置へ流すと、島台のアウト球検知スイッチに２倍のパチンコ球が流れるので、現在の島設備では倍の発射球があったものと検知されるおそれがある。そこで、回収された投入球は別のルートから島台へ流す構造とすることが好ましい。また、これは回収装置に回収された投入球数−ファール球数＝発射球数となるので、遊技制御装置でこれを計数し、これをホールコンピュータへと出力することでも解決できる。
【００３２】
同様に、払い出されるパチンコ球と、発射されるパチンコ球とが島台から補給されるため、現在の島設備では実際に払い出されたパチンコ球数＋発射球数を払出し球数と認識するおそれがあるので、球タンクから発射球を補給するのではなく、直接別ルートから打球発射装置へ発射球を補給する構造としても良い。また、これは払い出されたパチンコ球と発射球の情報をホールコンピュータへ出力することでも解決できる。
【００３３】
打球発射装置３１が別途適宜個所へ移動できることから、打球発射装置３１を遊技領域の直前に配置するようにしても良く、このようにすれば、発射力が微力で良くまたファール球が発生しないというメリットがある。
【図面の簡単な説明】
【００３４】
【図１】本発明が適用されるパチンコ機の正面図。
【図２】同正面から見た透視図。
【図３】同左側から見た透視図。
【図４】同右側から見た透視図。
【図５】（イ）は投入球排出装置部位の拡大正面断面図。                                （ロ）は同作用を示す拡大正面断面図。
【図６】打球発射装置部位の拡大正面図。
【図７】（イ）は打球発射装置部位の拡大側面断面図。                                  （ロ）は同作用を示す拡大側面断面図。
【図８】（イ）（ロ）（ハ）は球導口部位の遊技球の流れ状態を説明する断面図。
【図９】パチンコ機のブロック図。
【図１０】パチンコ機の発射制御を示すフローチャート図。
【符号の説明】
【００３５】
５      遊技盤
７      上皿
１６    遊技球連通路
１７    投入球排出装置
３１    打球発射装置
３２    発射位置
３８    球誘導通路
３８ａ  緩傾斜部
３８ｂ  供給口
３９    球払出装置
４２    球導口
４３    発射球専用通路
５６    補給口
Ｂ      遊技球（パチンコ球）
Ｐ      弾球遊技機（パチンコ機）
【図１】
2005185357.tif 000003
【図２】
2005185357.tif 000004
【図３】
2005185357.tif 000005
【図４】
2005185357.tif 000006
【図５】
2005185357.tif 000007
【図６】
2005185357.tif 000008
【図７】
2005185357.tif 000009
【図８】
2005185357.tif 000010
【図９】
2005185357.tif 000011
【図１０】
2005185357.tif 000012